(57)【要約】【課題】            横幅方向へ複数連設された場合にも側方側に作業スペースを確保できる電子機器用ラックを提供する。【解決手段】        底板１０と天板２０との間にわたって電子機器を装着可能なマウントフレーム３０を具備するとともに、該マウントフレーム３０の側方を側板５０によって覆うようにした電子機器用ラックにおいて、前記側板５０を前記底板１０と前記天板２０との間に前後方向へスライド可能に装着してなり、前記側板５０をスライドさせた際に前記マウントフレーム３０の側方側に空間が確保されるようにした。【選択図】図１
2011216696.tif 000002
【特許請求の範囲】
【請求項１】
底板と天板との間にわたって電子機器を装着可能なマウントフレームを具備するとともに、該マウントフレームの側方を側板によって覆うようにした電子機器用ラックにおいて、
前記側板を前記底板と前記天板との間に前後方向へスライド可能に装着してなり、前記側板をスライドさせた際に前記マウントフレームの側方側に空間が確保されるようにしたことを特徴とする電子機器用ラック。
【請求項２】
前記底板又は前記天板には、前方又は後方へスライドした際の前記側板を係止するように、係止部が設けられていることを特徴とする請求項１記載の電子機器用ラック。
【請求項３】
前記側板の上端部又は下端部と前記天板又は前記底板とのうち、その一方に、前後方向へわたる凸部を設け、その他方には、前記凸部に嵌り合う凹部を前後方向に間隔を置いて二つ設け、前記凸部には前記二つの凹部の間に位置するように係止部を設け、
前記二つの凹部が前方又は後方へスライドして前記係止部に係止されるようにしたことを特徴とする請求項１記載の電子機器用ラック。
【請求項４】
前記凸部には、前方又は後方へ所定量スライドした際の凹部を横方向へ外すように、切欠部が設けられていることを特徴とする請求項３記載の電子機器用ラック。
【請求項５】
前記係止部を着脱可能に備えたことを特徴とする請求項２乃至４何れか１項記載の電子機器用ラック。
【請求項６】
前記天板と前記底板の間における前面側又は背面側を開閉可能に覆う扉体と、該扉体を閉鎖状態で開放不能にする施錠装置とが具備され、
前記扉体は、開放状態で前記底板及び前記天板に対し着脱可能であって、且つ閉鎖状態では同底板及び同天板に対し着脱不能であるとともに前記側板の幅方向端部を覆うように設けられ、
前記施錠装置は、前記扉体が閉鎖された際に外部から操作されるように設けられていることを特徴とする請求項１乃至５何れか１項記載の電子機器用ラック。
【発明の詳細な説明】
【技術分野】
【０００１】
本発明は、例えばサーバーコンピュータ等の電子機器を収納するための電子機器用ラックに関するものである。
【背景技術】
【０００２】
従来、この種の電子機器用ラックには、例えば特許文献１や特許文献２に記載されたもののように、四本の支柱と、上下の天板及び底板とを備え、両側面を側板によって覆うとともに、前面と後面を扉体によって覆うようにしたものがある。そして、この電子機器用ラックは、横幅方向に複数並べて設置され、前記四本の支柱の内側には、電子機器が固定される。
ところで、前記のようにして設置された電子機器用ラックにおいて、設置済みの電子機器を交換する場合や、新たな電子機器を追加する場合等には、その交換や追加等の作業のために、前記電子機器用ラックの側方に作業スペースを確保できると好ましい。
【０００３】
しかしながら、従来の電子機器用ラックによれば、側板を横方向へ取り外す構造であったため、外した際の側板が横方向に隣り合う電子機器用ラックに干渉しないように、ラック全体を移動したり、ラック間の電気配線を外して再接続したり等、面倒な作業を要した。
そこで、メンテナンス性向上の観点から、側板を容易に外せることが望まれるが、セキュリティ向上の観点からは、側板が簡単に外れてしまうのは好ましくなく、工夫を要する。
【先行技術文献】
【特許文献】
【０００４】
【特許文献１】特開２００３−６９２５９号公報
【特許文献２】特開平１１−４０８９号公報
【発明の概要】
【発明が解決しようとする課題】
【０００５】
本発明は、このような問題に対処することを課題の一例とするものである。すなわち、横幅方向へ複数連設された場合にも側方側に作業スペースを確保できるようにすること、セキュリティ性が損なわれないようにすること等、が本発明の目的である。
【課題を解決するための手段】
【０００６】
このような目的を達成するために、本発明に係る技術的手段は、以下の構成を少なくとも具備するものである。
【０００７】
底板と天板との間にわたって電子機器を装着可能なマウントフレームを具備するとともに、該マウントフレームの側方を側板によって覆うようにした電子機器用ラックにおいて、前記側板を前記底板と前記天板との間に前後方向へスライド可能に装着してなり、前記側板をスライドさせた際に前記マウントフレームの側方側に空間が確保されるようにしたことを特徴とする。
【発明の効果】
【０００８】
このような特徴を有することで本発明は以下の作用効果を奏する。
設置済みの電子機器を交換する場合や、新たな電子機器を追加する場合等には、側板を前方又は後方へスライドさせて、マウントフレームの側方に、作業スペースとなる空間を確保することができる。しかも、側板が前後方向へスライドする構造なので、スライドさせた際の側板が横方向に隣り合う他の電子機器用ラックに干渉しない。したがって、前記作業スペースを確保するために、ラック全体を移動するようなことも必要ない。
【図面の簡単な説明】
【０００９】
【図１】本発明に係わる電子機器用ラックの一例を示す斜視図である。
【図２】同電子機器用ラックの組立て途中を示す斜視図である。
【図３】同電子機器用ラックの組立て途中を示す斜視図である。
【図４】同電子機器用ラックの要部拡大縦断面図であり、側板の装着構造を示している。
【図５】底板の凸部と側板の凹部との係合関係を示す図であり、（ａ）は側板を所定位置に組み付けた状態、（ｂ）は側板をスライドさせて凹部を係止部に当接させた状態、（ｃ）は側板の凹部を切欠部に合わせた状態を示す。
【図６】着脱可能な係止部を有する凸部の一例を示す図である。
【発明を実施するための形態】
【００１０】
本発明に係る好ましい一形態では、前記底板又は前記天板には、前方又は後方へスライドした際の前記側板を係止するように、係止部が設けられている。
【００１１】
更なる形態では、前記側板の上端部又は下端部と前記天板又は前記底板とのうち、その一方に、前後方向へわたる凸部を設け、その他方には、前記凸部に嵌り合う凹部を前後方向に間隔を置いて二つ設け、前記凸部には前記二つの凹部の間に位置するように係止部を設け、前記二つの凹部が前方又は後方へスライドして前記係止部に係止されるようにした。
【００１２】
更なる形態では、前記凸部には、前方又は後方へ所定量スライドした際の凹部を横方向へ外すように、切欠部が設けられている。
【００１３】
更なる形態では、前記係止部を着脱可能に備えた。
【００１４】
更なる形態では、前記天板と前記底板の間における前面側又は背面側を開閉可能に覆う扉体と、該扉体を閉鎖状態で開放不能にする施錠装置とが具備され、前記扉体は、開放状態で前記底板及び前記天板に対し着脱可能であって、且つ閉鎖状態では同底板及び同天板に対し着脱不能であるとともに前記側板の幅方向端部を覆うように設けられ、前記施錠装置は、前記扉体が閉鎖された際に外部から操作されるように設けられている。
【００１５】
以下、本発明の実施の形態を図面に基づいて説明する。
この電子機器用ラック１は、床面に敷設される底板１０と、該底板１０の上方に間隔を置くとともに底板１０に対向して配置される天板２０と、これら底板１０と天板２０との間にわたって立設されたマウントフレーム３０と、底板１０と天板２０の間の前面側と後面側をそれぞれ覆う扉体４１，４２と、底板１０と天板２０の間の側面を覆う側板５０とを具備している（図１参照）。そして、この電子機器用ラック１は、横幅方向へ複数並べて用いられる。
【００１６】
底板１０は、横幅方向に離間するとともに前後方向へ延設された二本の止着フレーム１１と、横幅方向の端部側に位置するとともに後述する側板５０に対し係合可能な凸部１５とを一体に有する部材であればよい（図２参照）。この底板１０は、例えば、板金部材や、形鋼材などを適宜に組み合わせ溶接して平面視略矩形枠状に形成される。
【００１７】
凸部１５は、図示例によれば、底板１０の横幅方向の端部側から上方へ突出するとともに前後方向へわたって連続する突片状の部位であり、後述する側板５０の下端の二つの凹部５１，５２に対し嵌まり合う（図４参照）。
この凸部１５の長さ方向の途中には、前記二つの凹部５１，５２の間に位置するように、係止部１５ａが設けられる（図５参照）。係止部１５ａは、凸部１５の長さ方向の途中箇所を上方に突出させてなる凸片状の部位である。
この係止部１５ａは、前方又は後方へ所定量スライドした際の側板５０の凹部５１（又は５２）に当接することで、側板５０が底板１０と天板２０の間から前後方向へ抜き取られるのを阻む。
【００１８】
また、凸部１５には、前後方向へスライドした際の側板５０の凹部５１（又は５２）を横方向（図４によれば左右方向）へ外すように切欠部１５ｂ，１５ｂ（図５参照）が設けられている。
この構成によれば、側板５０の凹部５１（又は５２）を切欠部１５ｂに合わせて、側板５０を横方向へずらせば、凹部５１（又は５２）を凸部１５から離脱して、側板５０を底板１０と天板２０との間から外すことができる。
【００１９】
また、天板２０は、底板１０と略同様に、横幅方向に離間するとともに前後方向へ延設された二本の止着フレーム２１（図４参照）と、横幅方向の端部側に位置するとともに後述する側板５０に係合可能な凸部２２とを一体に有する部材であればよい。この天板２０は、例えば、板金部材や、形鋼材などを適宜に組み合わせ溶接して平面視略矩形枠状に形成される。
【００２０】
凸部２２は、天板２０の横幅方向の端部側から下方へ突出するとともに前後方向へわたって連続する突片状の部位であり、後述する側板５０の上端の二つの凹部５１，５２（図１参照）に対し嵌まり合う。
この凸部２２は、底板１０の凸部１５から係止部１５ａを省いた形状であり、前記凹部５１（又は５２）を横方向へ外すための切欠部（図示せず）を有する。
【００２１】
また、マウントフレーム３０は、底板１０及び天板２０間の手前側に立設される前側マウントフレーム３１と、その後側に間隔を置いて立設される後側マウントフレーム３２とから構成される（図２参照）。
【００２２】
前側マウントフレーム３１は、横幅方向に離間して立設された二本の支柱３１ａ，３１ｂと、これら支柱３１ａ，３１ｂの上端側と下端側とをそれぞれ連結する連結杆３１ｃ，３１ｄとからなる一体の略矩形枠状に構成される。
【００２３】
また、後側マウントフレーム３２は、前側マウントフレーム３１と略同様に、横幅方向に離間して立設された二本の支柱３２ａ，３２ｂと、これら支柱３２ａ，３２ｂの上端側と下端側とをそれぞれ連結する連結杆３２ｃ，３２ｄとからなる略矩形枠状に構成される。
【００２４】
そして、前側マウントフレーム３１及び後側マウントフレーム３２は、その下端側が補強片３５を介して底板１０に止着され、その上端側が補強片３４を介して天板２０に止着される。
補強片３５は、前側マウントフレーム３１（又は後側マウントフレーム３２）の下端に固定され前後方向へ延設された平板状の部材であり、底板１０の止着フレーム１１に止着されて、前側マウントフレーム３１（又は後側マウントフレーム３２）の前後方向の強度を向上する。
同様に補強片３４は、前側マウントフレーム３１（又は後側マウントフレーム３２）の上端に固定され前後方向へ延設された平板状の部材であり、天板２０の止着フレーム２１に止着されて、前側マウントフレーム３１（又は後側マウントフレーム３２）の前後方向の強度を向上する。
【００２５】
また、前後のマウントフレーム３１，３２間には、必要に応じて、サイドバー３３（図３参照）が止着される。このサイドバー３３は、前側マウントフレーム３１から後側マウントフレーム３２にわたる長尺略棒状の部材であり、例えば、板金材料を断面略ハット状や、断面略コ字状等の補強断面構造に形成してなる。
【００２６】
また、側板５０は、一枚の略矩形状の部材であり、この側板５０の左右及び上下端部は、撓み防止のために、適宜形状で曲げ加工されている。
そして、この側板５０は、底板１０と天板２０との間に対し、前後方向へスライド可能に装着される。この側板５０をスライドさせた際には、マウントフレーム３０の側方側に作業スペースとなる空間が確保されるようになっている。
【００２７】
側板５０の上端部と下端部の各々には、前後方向へ間隔を置いた二つの凹部５１，５２が設けられる（図１参照）。
下端側の各凹部５１（５２）は、前後端部と上方を開放した略凹溝状に形成され、底板１０の凸部１５に対し前後方向へスライド可能に嵌り合う。
同様に、上端側の各凹部５１（５２）は、前後端部と下方を開放した略凹溝状に形成され、天板２０の凸部２２に対し前後方向へスライド可能に嵌り合う。
【００２８】
なお、側板５０と天板２０との凹凸関係、及び側板５０と底板１０との凹凸関係は、それぞれ逆の凹凸関係であってもよい。すなわち、側板５０の上端部と下端部に凸部を設けるとともに天板２０と底板１０に凹部を設け、これら凸部と凹部を嵌め合わせた態様とすることが可能である。
【００２９】
また、一方の扉体４１は、底板１０と天板２０間の前面側を覆う略矩形状の部材であり、上下方向の軸を中心に前後方向へ回動するように設けられている。
この扉体４１は、開放状態で底板１０及び天板２０に対し着脱可能であって、且つ閉鎖状態では同底板１０及び同天板２０に対し着脱不能に設けられる。
【００３０】
より詳細に説明すれば、この扉体４１は、板金部材から略矩形状に加工された部材であり、その左右端部及び上下端部が、適宜補強形状にて内側に曲げ加工されている。
【００３１】
そして、この扉体４１は、側板５０の幅方向端部（図示例によれば、電子機器用ラック１における手前方向端部）を覆うようにして、底板１０と天板２０との間に装着される。
したがって、扉体４１が閉鎖された状態では、側板５０は手前方向へスライドせず、同扉体４１が開放された場合には、扉体４１の戸先側に対応する側板５０が手前方向へスライド可能となる。さらに、扉体４１が外された場合には、左右の両側板５０とも手前方向へスライド可能となる。
【００３２】
また、この扉体４１の回動軸（図示せず）は、該扉体４１の内側において、該扉体４１の横幅方向の一端側に上下方向へわたって設けられ、底板１０と天板２０に対し着脱可能となっている。
前記回動軸を着脱可能にする手段は、例えば、前記回動軸を扉体４１に対し上下スライド可能に設けるとともに、該回動軸をコイルスプリングによって上方へ付勢した構成とし、該回動軸の一端と他端をそれぞれ底板１０と天板２０に挿通した構成とすればよい。この構成によれば、扉体４１を開放状態とし、該扉体４１の内側において前記回動軸を下方へスライドさせて天板２０から抜き、その後に扉体４１を持ち上げるようにして前記回動軸の下端側を底板１０から抜くことにより、扉体４１を底板１０と天板２０の間から外すことができる。
なお、前記回動軸は、扉体４１の略全長にわたる一体状の軸とすればよいが、扉体４１の上端側と下端側に支持された二本の軸からなる構成とすることも可能である。
【００３３】
そして、前記扉体４１には、扉体４１が閉鎖された際に外部から操作される施錠装置６０が設けられる。施錠装置６０は、外部から差し込まれるキーの回転操作によって扉体４１の下方及び／又は上方に作動杆（図示せず）を出没させて、該作動杆を底板１０及び／又は天板２０に係脱させる周知の機構（例えば所謂シリンダー錠を用いた機構）とすればよい。
前記構成によれば、施錠装置６０が施錠された状態では、前記回動軸を天板２０から抜いて扉体４１を外すことができず、側板５０を手前側へ外すこともできない。
【００３４】
また、他方の扉体４２は、底板１０と天板２０間の背面側において、扉体４１と略同様に、側板５０の幅方向端部（図示例によれば、電子機器用ラック１における後方側端部）を覆うようにして、底板１０と天板２０との間に装着される。
したがって、扉体４２が閉鎖された状態では、側板５０は電子機器用ラック１の後方へスライドせず、同扉体４２が開放された場合には、扉体４２の戸先側に対応する側板５０が前記後方へスライド可能となる。さらに、扉体４２が外された場合には、左右の両側板５０とも前記後方へスライド可能となる。
【００３５】
次に上記構成の電子機器用ラック１について、その作用効果を詳細に説明する。
扉体４１及び／又は扉体４２を開放又は外して、側板５０を前方又は後方へスライドさせれば、マウントフレーム３０の側方に作業スペースとなる空間を確保することができる（図３参照）。
スライドした際の側板５０は、図５（ｂ）に示すように、凸部１５の係止部１５ａに当接するため、引き抜かれることがない。よって、側板５０が不意に引き抜けて落下してしまうようなことを防ぐことができる。
【００３６】
また、必要に応じて、側板５０を完全に外す場合には、図５（ｃ）に示すように、側板５０の一方の凹部５２（又は５１）を、凸部１５の切欠部１５ｂに合わせて、側板５０を横幅方向へ若干移動すればよい。この操作によれば、凹部５２が凸部１５から外れて、側板５０を電子機器用ラック１の横幅方向へ外すことができる。側板５０上端側と天板２０との関係においても、同様にして凹部５２（又は５１）を凸部２２から外すことできる。
【００３７】
なお、他例としては、図６に示すように、凸部１５に対し着脱可能な係止部１５ａを設けるようにしてもよい。係止部１５ａは、凸部１５の長さ方向の略中央側において、ネジやボルト等の止着具によって凸部１５に止着されている。この凸部１５を外せば、凹部５１，５２は、当接する部分がなくなるので、前後方向（図６の左右方向）へ抜き差し可能となる。
したがって、前記他例によれば、電子機器用ラック１をその横幅方向へ複数並べて設けた場合にも、側板５０を、隣り合う電子機器用ラック１に干渉させることなく、前後方向へスライドさせて抜き差しすることができる。
【００３８】
なお、上記実施の形態によれば、側板５０を一枚としたが、他例としては、側板５０の前後方向へ分割された複数枚の側板構成部材からなる態様とすることも可能である。
【００３９】
また、上記実施の形態によれば、側板５０が前後方向へ引き抜かれるのを阻む係止部１５ａを、底板１０のみに設けたが、他例としては、前記係止部を天板２０のみに設けた態様や、前記係止部を底板１０と天板２０の双方に設けた態様とすることも可能である。
【００４０】
また、側板５０には、必要に応じて、当該側板５０を持ち運ぶための取っ手や、電気配線のための貫通孔等が設けられる。
【符号の説明】
【００４１】
１：電子機器用ラック
１０：底板
１５：凸部
１５ａ：係止部
１５ｂ：切欠部
２０：天板
３０：マウントフレーム
３１：前側マウントフレーム
３２：後側マウントフレーム
４１，４２：扉体
５０：側板
５１，５２：凹部
【図１】
2011216696.tif 000003
【図２】
2011216696.tif 000004
【図３】
2011216696.tif 000005
【図４】
2011216696.tif 000006
【図５】
2011216696.tif 000007
【図６】
2011216696.tif 000008